(57)【要約】【課題】従来の布団干しはフェンスの上端の桟に布団を二つ折りにして掛けるだけだった。だから全面を干すには前面が済むと裏返して裏面、次いで前後を変えて前面・裏面と４回手を掛けねばならなかった。手間と時間を要するし、布団は結構重いので裏返したり前後を変えたりする苦労も馬鹿にならなかった。それに二つ折りが必ずしも正確ではないのでフェンスの外にある部分が内にある部分より長い場合、風に煽られたりすると落下する事もある。高層住宅の高い階から落ちる布団は凶器となって器物や人畜を損傷する危険があった。これ等の欠点総てを解消、効果的に布団を干せる様にする。【解決手段】スプリングで合わせ面を押し合う２枚の板でなる干し具本体を、板の上端に取り付けた輪状の紐でフェンスの上端の横桟に取り付けてフェンスの外面にたらし、布団の上端を挟んでぶら下げて天日に晒す。【選択図】  図３
2006181328.tif 000002
【特許請求の範囲】
【請求項１】
頂部に突出部を有する、底辺の長い枠状三角形の平板２枚を重ね合わせ、一方の平板を突出部の基部で外方に折り曲げ、該折り曲げ部付近に取り付けた蝶番で両板を一体にし、且つスプリングによって両板の合わせ面が互いに圧し合う様にした形の本体の一方の突出部に孔をあけて紐を通し、該紐を、十分な余裕を持って本体をくぐらせ得る輪状部を作れる長さにして結ぶか、前記突出部に２本の縦断面Ｔ形の突起を作り、一方の突起に紐の一端を固着し、紐の他端に小さい輪を作り、その輪を他方の突起に係合する事で前記の紐と同様の長さの輪を作り得る様にした事を特徴とする布団干し具。
【発明の詳細な説明】
【技術分野】
【０００１】    本発明はベランダのフェンスなどで布団を天日干しするのを画期的に効率良く行える様にする為の用具である。
【背景技術】
【０００２】    従来はフェンスの上端の桟に布団を二つ折りにして掛けるだけであった。だから全面を干すには前面が済むと裏返して裏面、次いで前後を変えて前面・裏面と４回手を掛けねばならなかった。手間と時間を要するし、布団は結構重いので裏返したり前後を変えたりする労力も馬鹿にならなかった。それに二つ折りが必ずしも正確ではないのでフェンスの前にある部分が後にある部分より長い場合、風に煽られたりすると落下する事もある。高層住宅の高い階から落ちる布団は凶器となって器物や人畜を損傷する危険があった。
【発明の開示】
【発明が解決しようとする課題】
【０００３】    解決しようとする問題点は【０００２】項に前記した様な手間や時間・労力・危険等であって、本発明はこれらを抜本的に改善するものである。
【課題を解決する為の手段】
【０００４】  本発明はスプリングで合わせ面を押し合う２枚の板でなる干し具本体を、板の上端に取り付けた輪状の紐でフェンスの上端の横桟に取り付けてフェンスの外面にたらし、布団の上端を挟んでぶら下げて天日に晒すものである。
【発明の効果】
【０００５】    従来の様に布団を二つ折りにせず布団の上端のみを挟んで吊すのだから布団の片面全面が一度に天日に晒される。干す時間は半分で済む。裏面を干す為に裏返すのも、布団の重量が紐の張力で支えているから力が要らず、容易に裏返せて労力・時間を削れる。
【発明を実施するための最良の形態】
【０００６】    布団挟持部が風でフェンスに当たったり、子供のいたずらで挟持力が弱まったりして布団が脱落する場合を想定、本発明では後述の様に必要あれば挟持強化機構を用い得る様考慮してある。
【実施例１】
【０００７】    図１は本発明の布団干し具の正面図、図２はそれを右方から見た側面図である。１・２は頂部にそれぞれ突出部３・４を有する底辺の長い枠状の三角形の平板で、両者を重ね合わせ、一方の平板の突出部３をその基部で外方に折り曲げ、蝶番５で両板を結合して一体とし、且つスプリング６で常時１・２の合わせ面を互いに圧し合う形の本体とする。【０００８】    一方の突出部４に孔７をあけて紐８を通し、該紐を、本体をくぐらせ得る輪を作れる長さにして結ぶ。【０００９】    図３は用法を示す図で、本発明をフェンスの上端の横桟に取り付ける過程を説明する為の図。前記の横桟の長手方向に直角な面で切断した状態で、９は長手方向の延長線から見た前記横桟の断面。その右方がベランダ、左方が屋外である。フエンスは上端部のみを示し支柱は図示を省略してある。１・２は図２同様、本体の右側面図である。蝶番・スプリング等を省略してある。【００１０】    紐８を横桟の外方即ち屋外方向から上、内方とかけ、その輪に本体を矢印の様にくぐらせる。【００１１】    図４はその状態から本体に布団を挟んで吊り下げた状態を示す。本体と布団の荷重で紐８はその中程で横桟をきっちりと緩みなく巻いて安定している。布団は全体がフェンスの外側にある。
なお、このままでは布団が下がり過ぎる場合は、前項の作業を済ませてから干し具と紐をフエンスの下の横桟にひっかけて後再び上端の横桟を越して干し具を吊り下げればよい。また、よりデリケートな調節を望む時は適当な大きさのＳフックを下の横桟にひっかけて上記に準じた作業を行えばよい。或はベランダの床に適当な長さの紐の下端を固定、上端にＳフックを着けて上記に準じた作業を行ってもよい。【００１２】    本体が挟むのは布団の上端のほんの一部分に過ぎないので、実質的に布団の片面全体が日に晒されるとしてよい。【００１３】    布団の反対面を干す為に裏返すのも、布団の重量は紐の張力で支えているので力も要らず、時間も瞬間的で済んで手間がかからない。【００１４】    布団の厚さや固さはまちまちなので本体による挟持力もまちまちである。
また例外的に、布団挟持部が風で何回もフェンスにぶつかったり、子供のいたずらで狭持力が弱まったりする場合を想定、それを防ぐ挟持力強化機構を考慮してある。
図５はその１例の構造・作用を説明する為の図で、図２に示す干し具側面図に於ける突出部３・４の少し下から上部のみを拡大して示し、下部を省略してある。また蝶番・スプリングも省略、且つ３・４は強化機構の中心線を含む垂直面で切った断面を示す。【００１５】    図５に置いて１１〜１５が強化機構の主体である強化棒。先端近くに短いねじ部１１があり、その先１２はねじの内径より細い短い棒状部であって最先端を丸めてある。不使用時はねじ部１１の後端が本体突出部１の内側面に接している。１１を挟んだ反対方向はねじの内径より細い棒状部１３で、長さが強化棒の先端から本体突出部２の内側面の、強化棒の軸線上にうがった浅い穴１６の底までの距離より少し短い。その末端から強化棒の末端方向１４はねじ部１１と同径・同ピッチのねじ部で、長さは本体突出部の厚さと同程度。強化棒末端１５は外周にローレットを切った摘みである。本体突出部２には強化棒のねじと同径・同ピッチの雌ねじが切ってある。【００１６】    ねじ部１１は抜け止めである。一度通してしまえば人為でない限り抜ける事がない。短いし、常時はねじ部の後端が本体突出部３の内側面に接した状態にあるので布団を挟む作業に支障を来たさない。短い棒状部１２の外径はねじの内径より細いので雌ねじを貫通するのに何ら支障はない。棒状部１３の外形もねじの内径より細いので軸線方向の移動をねじと違って迅速に行い得る。従って挟持力強化ねじ部１４を雌ねじに係合、回転して先端部１３を本体２に突き当てて布団挟持力を強化するのも手早く行える。
浅い穴１６は、これが無いと締め付けの時強化棒の先端が本体２の面に斜めに当たるので先端部が上方に滑る傾向があり、長い間には強化機構を傷める虞れがあるのでその防止の為に設けるのである。【００１７】    図６は挟持力強化機構の他の１例を示す。
２１は長方形の材料をＵ字形に曲げた形の頑丈な強化機構本体。２２は同本体側面に設けた雌ねじに係合する雄ねじ部を持つ摘みである。Ｕ字形部を布団干し具本体の布団を挟んだ挟持部を挟む様に嵌め、ねじを締め付けて挟持力を強化するのである。紛失しない様鎖又は紐で干し具本体につないで置く。
【産業上の利用可能性】
【００１８】    日常生活で極めて利用価値が高いので産業上も量産が期待される。
【図面の簡単な説明】
【００１９】
【図１】布団干し具の正面図。
【図２】同干し具の右方からの側面図。
【図３】同干し具の用法説明の為の図。干す為の準備段階で、干し具のフェンスへの取り付け方を示す。
【図４】使用状態を示す図。
【図５】挟持力強化機構の図。
【図６】挟持力強化機構の他の１例を示す図。
【符号の説明】
【００２０】１    布団干し具本体を構成する２枚の平板の中の一枚。
２    他の１枚。
３    １の平板の突出部
４    ２の平板の突出部
５    蝶番
６    スプリング
７    突出部４に設けた孔
８    紐
９    フェンスの横桟
１０  布団
１１  強化棒の抜け止めねじ部
１２  先端に設けた短い棒状部
１３  長い棒状部
１４  挟持力強化ねじ部
１５  摘み
１６  干し具本体の突出部に設けた浅い皿穴
２１  別例の挟持力強化機構の本体
２２  摘み
【図１】
2006181328.tif 000003
【図２】
2006181328.tif 000004
【図３】
2006181328.tif 000005
【図４】
2006181328.tif 000006
【図５】
2006181328.tif 000007
【図６】
2006181328.tif 000008